(57)【特許請求の範囲】
【請求項１】
ハウジングの凹部内に、第１給電コネクタが接続される第１受電部と、第２給電コネクタが接続される第２受電部とが並設された充電コネクタであって、
前記ハウジングの開口を覆うととともに、前記第１受電部および前記第２受電部に対応する開口部分がそれぞれ形成された枠部を備え、
前記第１受電部に対応する開口部分および前記第２受電部に対応する開口部分には、対応する開口部分を開閉可能な第１蓋部および第２蓋部がそれぞれ取り付けられ、
前記第１蓋部は、前記第２受電部に前記第２給電コネクタが接続された状態においては、前記第２給電コネクタにより前記第１受電部の開放を阻止した状態で保持され、前記第２受電部に前記第２給電コネクタが接続されていない状態においては、前記第２受電部側に移動して前記第２受電部の開放を阻止可能に取り付けられており、
前記第２蓋部は前記第２受電部に対応する開口部分に着脱可能に取り付けられる一方、前記第１蓋部は前記第２受電部側にスライド移動可能に取り付けられていることを特徴とする充電コネクタ。
【請求項２】
前記第１蓋部は、前記第２蓋部が前記枠部に取り付けられた状態で前記第２受電部側に移動可能であるとともに、前記第２受電部側に移動して前記第１受電部を開放状態とした際に前記枠部または前記第２蓋部により係止されることを特徴とする請求項１に記載の充電コネクタ。
【請求項３】
前記第２蓋部には前記ハウジングの外側に突出する把手部が設けられていることを特徴とする請求項１または請求項２に記載の充電コネクタ。
【請求項４】
前記第１蓋部の端部のうち、前記第１蓋部が前記第１受電部の開放を阻止した状態で配されているときに、前記第２受電部側とは反対側に配される端部には、前記ハウジングの外側に突出する把手部が設けられていることを特徴とする請求項１ないし請求項３のいずれか一項に記載の充電コネクタ。
【請求項５】
前記第１蓋部は前記第２受電部側にスライド移動可能に取り付けられる一方、前記第２蓋部は前記第１受電部側にスライド移動可能に取り付けられ、
前記第１蓋部および前記第２蓋部は、移動により対応する受電部を開放状態とした際に、他方の蓋部または前記枠部により係止されることを特徴とする請求項１に記載の充電コネクタ。
【請求項６】
前記第１蓋部の端部のうち、前記第１蓋部が前記第１受電部の開放を阻止した状態で配されているときに、前記第２受電部側とは反対側に配される端部、および、前記第２蓋部の端部のうち、前記第２蓋部が前記第２受電部の開放を阻止した状態で配されているときに、前記第１受電部とは反対側に配される端部には、前記ハウジングの外側に突出する把手部がそれぞれ設けられていることを特徴とする請求項５に記載の充電コネクタ。
【発明の詳細な説明】
【技術分野】
【０００１】
本発明は、充電コネクタに関する。
【背景技術】
【０００２】
直流用の給電コネクタが接続される直流受電部、および交流用の給電コネクタが接続される交流受電部とが一体化された充電コネクタとしては例えば特許文献１に記載のものなどが知られている。
【０００３】
この充電コネクタの２つの受電部には、それぞれ開閉自在に設けられる２つの蓋が設けられている。また、この充電コネクタには、２つの受電部の中間位置で２つの蓋に重なるように配置されて２つの蓋の解放を阻止し、一方の蓋の上に移動して一方の蓋の解放を阻止して他方の蓋の移動を解除するとともに、他方の蓋の上に移動して他方の蓋の解放を阻止して一方の蓋の移動を解除する蓋固定手段が設けられている。
【先行技術文献】
【特許文献】
【０００４】
【特許文献１】特許第２９１６５７５号公報
【発明の概要】
【発明が解決しようとする課題】
【０００５】
上記充電コネクタでは、蓋固定手段を２つの蓋の上で移動させることにより、充電を行う受電部の蓋のみを解放することができるので、他の受電部（充電を行っていない受電部）との接触を防止することが可能である。
【０００６】
しかしながら、上記充電コネクタでは、受電部への接触防止のために２つの蓋と蓋固定手段とが必要であるので部品点数が多く、一方の受電部を用いる際に蓋固定手段を他方の受電部側に移動させたのちに蓋を開く必要があり手間がかかる。
また蓋固定手段を２つの蓋に重ねて配置するため蓋固定手段を取り付けるためのスペースも必要である。
【０００７】
本発明は上記のような事情に基づいて完成されたものであって、省スペースで、部品点数を減らしながらも、充電の際に他の受電部との接触を防止した充電コネクタを提供することを目的とする。
【課題を解決するための手段】
【０００８】
上記課題を解決するものとして、本発明は、ハウジングの凹部内に、第１給電コネクタが接続される第１受電部と、第２給電コネクタが接続される第２受電部とが並設された充電コネクタであって、前記ハウジングの開口を覆うととともに、前記第１受電部および前記第２受電部に対応する開口部分がそれぞれ形成された枠部を備え、前記第１受電部に対応する開口部分および前記第２受電部に対応する開口部分には、対応する開口部分を開閉可能な第１蓋部および第２蓋部がそれぞれ取り付けられ、前記第１蓋部は、前記第２受電部に前記第２給電コネクタが接続された状態においては、前記第２給電コネクタにより前記第１受電部の開放を阻止した状態で保持され、前記第２受電部に前記第２給電コネクタが接続されていない状態においては、前記第２受電部側に移動して前記第２受電部の開放を阻止可能に取り付けられており、前記第２蓋部は前記第２受電部に対応する開口部分に着脱可能に取り付けられる一方、前記第１蓋部は前記第２受電部側にスライド移動可能に取り付けられていることを特徴とする。
【０００９】
本発明の充電コネクタにおいては、ハウジングの開口を覆う枠部に形成された２つの受電部に対応する開口部分を開閉可能な第１蓋部および第２蓋部が取り付けられている。また、本発明において、第２受電部に第２給電コネクタが接続されていない状態、例えば、第１受電部に第１給電コネクタを接続して充電を行う場合などにおいては、第１蓋部が第２受電部側に移動して前記第２受電部の開放を阻止可能に取り付けられている。
したがって、第１受電部に第１給電コネクタを接続する際には、第１蓋部を、第２受電部側に移動させて第１受電部を開放状態として、開放状態の第１受電部に第１給電コネクタを接続し第１受電部の充電作業を行うことができる。このとき、第１蓋部は第２受電部側に配されて、第２受電部の開放を阻止しているので、第１受電部の充電作業の際に他の受電部（第２受電部）との接触を防止することができる。
【００１０】
一方、本発明において、第２受電部の充電作業を行う際には、第２蓋部を第２受電部に対応する開口部分から移動させて第２受電部を開放状態とすると、開放状態の第２受電部に第２給電コネクタを接続し充電を行うことができる。このとき第１蓋部は第２受電部に接続された第２給電コネクタにより、第１受電部の開放を阻止した状態に保持されるので、第２受電部の充電作業の際に他の受電部（第１受電部）との接触を防止することができる。
【００１１】
したがって、本発明の充電コネクタでは、２つの受電部に対応する開口部分を有する枠部に、上述の第１蓋部と、第２蓋部とを取り付ける構成とするだけで、充電の際に他の受電部との接触を防止することが可能であるので部品点数を減らすことができる。
【００１２】
また、第１蓋部と第２蓋部以外に別の部材を取り付ける必要もないので、省スペースである。さらに、充電作業の際に各蓋部を移動させるだけで他の受電部との接触を防止することができるので、各蓋部以外の他の部材を移動させる必要もなく、手間がかからない。
【００１３】
以上より本発明によれば、部品点数を減らしながらも他の受電部との接触を防止した充電コネクタを提供することができる。
【００１４】
また、上記のような構成では、第２蓋部を取り外すだけで第２受電部の充電作業を行うことができ、第２蓋部を取り外して第１蓋部をスライド移動させると第１受電部の充電作業が可能である。したがって、このような構成では、第２受電部の充電作業の作業性に優れ、枠部に第１蓋部をスライド移動可能な溝部を１つ形成すれば済むので、枠部の構成を簡易なものとすることができる。
本発明は以下の構成としてもよい。
【００１５】
上記構成において、前記第１蓋部は、前記第２蓋部が前記枠部に取り付けられた状態で前記第２受電部側に移動可能であるとともに、前記第２受電部側に移動して前記第１受電部を開放状態とした際に前記枠部または前記第２蓋部により係止されてもよい。このような構成とすると、第１受電部の充電の際に、第２受電部には第２蓋部および第１蓋部が配されるとともに、第１蓋部が枠部または第２蓋部により係止されるので、確実に他の受電部（第２受電部）との接触を防止することができる。
【００１６】
上記構成において、前記第２蓋部には前記ハウジングの外側に突出する把手部が設けられていてもよい。このような構成とすると、第２蓋部を着脱する場合に第２蓋部の着脱作業を容易なものとすることができる。
【００１７】
上記構成において、前記第１蓋部の端部のうち、前記第１蓋部が前記第１受電部の開放を阻止した状態で配されているときに、前記第２受電部側とは反対側に配される端部には、前記ハウジングの外側に突出する把手部が設けられていてもよい。このような構成とすると、第１蓋部を第２受電部側に移動する際の作業性が優れる。
【００１８】
前記第１蓋部は前記第２受電部側にスライド移動可能に取り付けられる一方、前記第２蓋部は前記第１受電部側にスライド移動可能に取り付けられ、前記第１蓋部および前記第２蓋部は、移動により対応する受電部を開放状態とした際に、他方の蓋部または前記枠部により係止される構成としてもよい。このような構成では、第１蓋部および第２蓋部がスライド移動可能であり、スライド移動した第１蓋部および第２蓋部は他方の蓋部または枠部により係止されるので、第１蓋部および第２蓋部の移動作業を簡易なものとすることができるうえに、充電作業の際の他の受電部との接触を確実に防止することができる。また、充電の際に２つの蓋部をとりはずさなくてもよいので蓋部を紛失することもない。
【００１９】
上記構成において、前記第１蓋部の端部のうち、前記第１蓋部が前記第１受電部の開放を阻止した状態で配されているときに、前記第２受電部側とは反対側に配される端部、および、前記第２蓋部の端部のうち、前記第２蓋部が前記第２受電部の開放を阻止した状態で配されているときに、前記第１受電部とは反対側に配される端部には、前記ハウジングの外側に突出する把手部がそれぞれ設けられていてもよい。このような構成とすると、第１蓋部および第２蓋部をスライド移動させる際の作業性が優れる。
【発明の効果】
【００２０】
本発明によれば、省スペースで、部品点数を減らしながらも他の受電部との接触を防止した充電コネクタを提供することができる。
【図面の簡単な説明】
【００２１】
【図１】参考形態１の充電コネクタの正面図
【図２】充電コネクタの背面図
【図３】図１のＡ−Ａ線における断面図
【図４】第１蓋部を移動させた状態の充電コネクタの正面図
【図５】図４のＢ−Ｂ線における断面図
【図６】第２蓋部を移動させた状態の充電コネクタの正面図
【図７】第２蓋部を移動させた状態の充電コネクタの斜視図
【図８】図６のＣ−Ｃ線における断面図
【図９】第１受電部に第１給電コネクタを接続させた状態の充電コネクタの斜視図
【図１０】第１受電部に第１給電コネクタを接続させた状態の充電コネクタの断面図
【図１１】図１０の一部拡大断面図
【図１２】第２受電部に第２給電コネクタを接続させた状態の充電コネクタの正面図
【図１３】第２受電部に第２給電コネクタを接続させた状態の充電コネクタの斜視図
【図１４】図１２のＤ−Ｄ線における断面図
【図１５】図１４の一部拡大断面図
【図１６】実施形態１の充電コネクタの正面図
【図１７】図１６のＥ−Ｅ線における断面図
【図１８】第２蓋部を外した状態の充電コネクタの断面図
【図１９】第１蓋部を第２受電部側に移動させた状態の充電コネクタの断面図
【図２０】第２受電部に第２給電コネクタを接続させた状態の充電コネクタの断面図
【図２１】第１受電部に第１給電コネクタを接続させた状態の充電コネクタの断面図
【図２２】他の実施形態で説明する充電コネクタの断面図
【発明を実施するための形態】
【００２２】
＜参考形態１＞
参考形態１の充電コネクタ１０を図１ないし図１５によって説明する。
本参考形態の充電コネクタ１０は図１ないし図３に示すように、全体として略直方体状をなし前方方向（図３の右方向）に開口したハウジング１１を有している。ハウジング１１の開口１１Ａには、開口１１Ａを覆う枠部２０が設けられている。
【００２３】
ハウジング１１の内部１１Ｂ（凹部１１Ｂ）には、図３に示すように上下方向に２つの受電部１２，１５が並んだ状態で収容されている。２つの受電部１２，１５のうち、下側に設けられている受電部１２が直流受電部１２（第１受電部１２の一例）、上側に設けられている受電部１５が交流受電部１５（第２受電部１５の一例）である。
【００２４】
直流受電部１２には、直流用給電コネクタ４０（第１給電コネクタ４０の一例）が接続可能とされる。直流受電部１２には、図４に示すように、２段に並んだ合計５つの端子１３が設けられている。直流受電部１２において、下段に並んでいる３つの端子は信号線端子１３Ａ、上段に並んでいる２つの端子は急速充電用の端子１３Ｂである。これらの端子１３は、図６に示すように、それぞれハウジング１１の奥壁１１Ｃ（図５における左側の面）から外側に導出された電線Ｗと電気的に接続されている。
【００２５】
交流受電部１５には、交流用給電コネクタ５０（第２給電コネクタ５０の一例）が接続可能とされる。交流受電部１５には、図７に示すように、３段に並んだ合計７つの端子１６が設けられている。交流受電部１５において、下段に並んでいる２つの端子および中段の右端の端子は、三相交流用端子１６ＡでありＵ相Ｖ相Ｗ相に対応する。交流受電部１５において、中段の中央の端子は中性端子１６Ｂ、中段の左端の端子はグランド端子１６Ｃ、上段の２つの端子は信号線端子１６Ｄである。これらの端子１６は図８に示すように、それぞれハウジング１１の奥壁１１Ｃ（図８における左側の面）から外側に導出された電線Ｗと電気的に接続されている。
【００２６】
枠部２０には、図４および図７に示すように、２つの開口部分２２，２５（開口部２２，２５という）が上下方向に並んで形成されている。２つの開口部２２，２５のうち、下側の開口部２５は直流受電部１２に対応する位置に形成され、上側の開口部２２は交流受電部１５に対応する位置に形成されている。
【００２７】
２つの開口部２２，２５はそれぞれ角丸の方形状をなしている。各開口部２２，２５において、上端面の略中央部分は上方に凹んだ形状をなしており、下端面の略中央部分は下方に凹んだ形状をなしている。この、開口部２２，２５の凹んだ部分には、後述する各蓋部３０，３５の把手部３１，３６が配されるようになっている。上側の開口部２２において、上方に凹んだ部分を第１凹み部２３Ａ、下方に凹んだ部分を第２凹み部２３Ｂとする。下側の開口部２５において、上方に凹んだ部分を第３凹み部２６Ａ、下方に凹んだ部分を第４凹み部２６Ｂとする。
【００２８】
枠部２０の下側の開口部２５には、図１および図４に示すように、当該開口部２５を開閉可能な第１蓋部３０が取り付けられている。枠部２０の上側の開口部２２には、図１および図７に示すように、当該開口部２２を開閉可能な第２蓋部３５が取り付けられている。
【００２９】
第１蓋部３０は、図３に示すように、第２蓋部３５よりも前方に取り付けられている。第１蓋部３０は、上下方向にスライド移動可能に枠部２０の端面に設けた溝部２１に取り付けられており、直流受電部１２側と交流受電部１５側との間を移動可能とされる。第１蓋部３０の下端部（第１蓋部３０が第１受電部１２の開放を阻止した状態で配されているときに、第２受電部１５側とは反対側に配される端部に相当）には、図３に示すようにハウジング１１の外側方向に突出形成された把手部３１（第１把手部３１）が設けられている。
【００３０】
第１蓋部３０の下端部には、ハウジング１１の内側において、枠部２０の第１係止突部２７（詳細は後述する）に係止される第１係止爪３２が、第１把手部３１を間に挟んで２つ形成されている。この第１係止爪３２の係止状態を解除することで第１蓋部３０が移動可能とされる。
【００３１】
第２蓋部３５は上下方向にスライド移動可能に、枠部２０の端面に設けた溝部２１に取り付けられており、交流受電部１５側と直流受電部１２との間を移動可能となっている。第２蓋部３５の上端部（第２蓋部３５が第２受電部１５の開放を阻止した状態で配されているときに、第１受電部１２側とは反対側に配される端部に相当）には、図３に示すようにハウジング１１の外側方向に突出形成された把手部３６（第２把手部３６）が設けられている。
【００３２】
第２蓋部３５の上端部には、ハウジング１１の内側において、枠部２０の第２係止突部２８（詳細は後述する）に係止される第２係止爪３７が、第２把手部３６を間に挟んで２つ形成されている。この第２係止爪３７の係止状態を解除することで第２蓋部３５が移動可能とされる。
【００３３】
枠部２０の下端部においては、図３に示すように、第１蓋部３０の第１係止爪３２を係止する第１係止突部２７が枠部２０の内側面からハウジング１１の内側方向に突出形成されている。また、枠部２０の上端部においては、第２蓋部３５の第２係止爪３７を係止する第２係止突部２８が枠部２０の内側面からハウジング１１の内側方向に突出形成されている。なお、図３の断面図には第１係止突部２７および第２係止突部２８が１つずつ示されているが、第１係止突部２７および第２係止突部２８は、それぞれ第１係止爪３２と第２係止爪３７に対応して２つずつ形成されている。
【００３４】
次に、本参考形態の充電コネクタ１０を用いた充電方法について説明する。
本参考形態の充電コネクタ１０は充電作業を行っていないときには、図３に示すように、枠部２０の下側の開口部２５が第１蓋部３０により閉じられるとともに、枠部２０の上側の開口部２２が第２蓋部３５により閉じられることで各受電部１２，１５の開放が阻止された状態である。この状態においては、第１蓋部３０は第１係止爪３２が枠部２０の第１係止突部２７に係止されることで移動を規制され、第２蓋部３５は第２係止爪３７が枠部２０の第２係止突部２８に係止されることで移動を規制されている。
【００３５】
直流受電部１２（第１受電部１２）に充電を行う方法について説明する。まず、直流受電部１２を閉じている第１蓋部３０の第１把手部３１をつまんで第１蓋部３０をハウジング１１の内側方向に押すと、第１係止爪３２が第１係止突部２７から外れて第１蓋部３０の係止状態が解除される。
【００３６】
次に、第１蓋部３０を上方に移動させる。本参考形態では第１蓋部３０に第１把手部３１が設けられており第１蓋部３０がスライド移動可能に取り付けられているので、円滑に第１蓋部３０を上方に移動させることができる。第１蓋部３０を上方へ移動させて、図４および図５に示すように、第１把手部３１が第３凹み部２６Ａに配される位置に至ると、第１係止爪３２が下側の開口部２５の上端面に当接して係止され第１蓋部３０の上方への移動が規制されるとともに直流受電部１２が開放状態となる。
【００３７】
開放状態となった直流受電部１２に直流用給電コネクタ４０を接続する。図９および図１０に示すように、直流用給電コネクタ４０を枠部２０の下側の開口部２５に挿入して、ハウジング１１の奥壁１１Ｃの内側面に当接して嵌合が完了すると、直流用給電コネクタ４０の端子４２が直流受電部１２の端子１３と電気的に接続され、充電作業が可能となる。
【００３８】
このとき、枠部２０の上側の開口部２２には、図１１に示すように、第２蓋部３５が枠部２０の第２係止突部２８に係止されており、第１蓋部３０が図１０に示すように第２蓋部３５の外側に重なるように交流受電部１５側に配されて、交流受電部１５の開放を阻止している。さらに、第１蓋部３０および第２蓋部３５は直流用給電コネクタ４０により下方への移動が規制されている。つまり、直流受電部１２の充電作業の際には、交流受電部１５の開放が阻止されているので、交流受電部１５との接触の問題は生じない。
【００３９】
充電作業が終了したら直流用給電コネクタ４０を直流受電部１２から外して、第１蓋部３０を下方に移動させると、第１係止爪３２が枠部２０の第１係止突部部２７に当接してハウジング１１の内部方向にたわみ変形する。さらに第１蓋部３０を下方に移動させて、第１把手部３１が第４凹み部２６Ｂに配される位置に至ると、第１係止爪３２が弾性復帰して第１係止突部２７に係止され第１蓋部３０の移動が規制される（図３を参照）。
【００４０】
交流受電部１５（第２受電部１５）に充電を行う方法について説明する。まず、交流受電部１５を閉じている第２蓋部３５の第２把手部３６をつまんで第２蓋部３５をハウジング１１の内側方向に押すと、第２係止爪３７が第２係止突部２８から外れて第２蓋部３５の係止状態が解除される。
【００４１】
次に、第２蓋部３５を下方に移動させる。本参考形態では第２蓋部３５に第２把手部３６が設けられており第２蓋部３５がスライド移動可能に取り付けられているので、円滑に第２蓋部３５を下方に移動させることができる。第２蓋部３５を下方へ移動させて、図６〜図８に示すように、第２把手部３６が第２凹み部２３Ｂに配される位置に至ると、第２係止爪３７が上側の開口部２２の下端面に当接して係止され第２蓋部３５の下方への移動が規制されるとともに交流受電部１５が開放状態となる。
【００４２】
開放状態となった交流受電部１５に交流用給電コネクタ５０を接続する。図１２〜図１４に示すように、交流用給電コネクタ５０を枠部２０の上側の開口部２２に挿入して、ハウジング１１の奥壁１１Ｃの近傍に至ると嵌合が完了し、交流用給電コネクタ５０の端子５２が交流受電部１５の端子１６と電気的に接続され、充電作業が可能となる。
【００４３】
このとき、枠部２０の下側の開口部２５には、図１５に示すように、第１蓋部３０が枠部２０の第１係止突部２７に係止されており、第１蓋部３０および第２蓋部３５は交流用給電コネクタ５０により上方への移動が規制されている。つまり、交流受電部１５の充電作業の際には、直流受電部１２の開放が阻止されているので、直流受電部１２との接触の問題は生じない。
【００４４】
充電作業が終了したら交流用給電コネクタ５０を交流受電部１５から外して、第２蓋部３５を上方に移動させると、第２係止爪３７が枠部２０の第２係止突部２８に当接してハウジング１１の内部１１Ｂ方向に撓み変形する。さらに第２蓋部３５を上方に移動させて、第２把手部３６が第２凹み部２３Ｂに配される位置まで下方に移動させると第２係止爪３７が弾性復帰して第２係止突部２８に係止され第２蓋部３５の移動が規制される（図３を参照）。
【００４５】
本参考形態の効果について説明する。
本参考形態において、第１蓋部３０は、上述したように、交流受電部１５に交流用給電コネクタ５０が接続された状態においては交流用給電コネクタ５０により直流受電部１２の開放を阻止した状態で保持され、交流受電部１５に交流用給電コネクタ５０が接続されていない状態においては交流受電部１５側に移動可能である。
したがって、本参考形態によれば、２つの受電部１２，１５に対応する開口部２２，２５を有する枠部２０に、第２蓋部３５と第１蓋部３０とを取り付けた構成とするだけで、充電の際に他の受電部１２，１５との接触を防止することが可能であるので部品点数を減らすことができる。
【００４６】
また、本参考形態では、第１蓋部３０と第２蓋部３５以外に別の部材を取り付ける必要もないので、省スペースである。さらに、充電作業の際に充電を行う受電部１２，１５を閉じている各蓋部３０，３５を他方の受電部側に移動させるだけで他の受電部との接触を防止することができるので、蓋部３０，３５以外の他の部材を移動させる必要もなく、手間がかからない。以上より、本参考形態によれば、省スペースで、部品点数を減らしながらも他の受電部との接触を防止した充電コネクタ１０を提供することができる。
【００４７】
また、本参考形態によれば第１蓋部３０は交流受電部１５側にスライド移動可能に取り付けられる一方、第２蓋部３５は直流受電部１２側にスライド移動可能に取り付けられ、第１蓋部３０および第２蓋部３５は、移動により対応する受電部１２，１５を開放状態とした際に、枠部２０に設けた係止突部２７，２８により係止されるから、第１蓋部３０および第２蓋部３５の移動作業を簡易なものとすることができるうえに、充電作業の際の他の受電部との接触を確実に防止することができる。また、充電の際に各蓋部３０，３５をとりはずさなくてもよいので各蓋部３０，３５を紛失することもない。
【００４８】
さらに、本参考形態によれば、第１蓋部３０の下端部および、第２蓋部３５の上端部に、ハウジング１１の外側に突出する把手部３１，３６がそれぞれ設けられているから、第１蓋部３０および第２蓋部３５をスライド移動させる際の作業性が優れる。
【００４９】
＜実施形態１＞
次に、実施形態１の充電コネクタ６０を図１６ないし図２１によって説明する。
本実施形態の充電コネクタ６０は第２蓋部６５が枠部２０の交流受電部１５に対応する上側の開口部２２に着脱可能に取り付けられている点で参考形態１と相違する。参考形態１と同様の構成については同じ符号を付し重複した説明は省略する。
【００５０】
本実施形態において、第２蓋部６５は枠部２０の上側の開口部２２の端面に嵌めこまれている。第２蓋部６５の下端部には、図１６に示すようにハウジング１１の外側方向に突出形成された第３把手部６６が設けられている。第１蓋部３０は参考形態１と同様に交流受電部１５側にスライド移動可能に取り付けられている。
【００５１】
次に、本実施形態の充電コネクタ６０を用いた充電方法について説明する。
本実施形態の充電コネクタ６０は充電作業を行っていないときには、図１７に示すように、枠部２０の下側の開口部２５が第１蓋部３０により閉じられるとともに、枠部２０の上側の開口部２２が第２蓋部６５により閉じられることで各受電部１２，１５の開放が阻止された状態である。この状態においては、第１蓋部３０は第１係止爪３２が枠部２０の第１係止突部２７に係止されることで移動を規制されている。
【００５２】
直流受電部１２（第１受電部１２）に充電を行う方法について説明する。まず、交流受電部１５（第２受電部１５）を閉じている第２蓋部６５を、図１８に示すように、第２蓋部６５を枠部２０の上側の開口部２２から取り外す。このとき第２蓋部６５には第３把手部６６が設けられているので、取り外し作業を円滑に行うことができる。
【００５３】
次に、直流受電部１２を閉じている第１蓋部３０の第１把手部３１をつまんで第１蓋部３０をハウジング１１の内側方向に押して、第１蓋部３０の係止状態を解除し、第１蓋部３０を上方に移動させる。本実施形態でも第１蓋部３０に第１把手部３１が設けられており第１蓋部３０がスライド移動可能に取り付けられているので、円滑に第１蓋部３０を上方に移動させることができる。
【００５４】
第１蓋部３０を上方へ移動させて、図１９に示すように、第１把手部３１が第３凹み部２６Ａに配される位置に至ると、第１係止爪３２が下側の開口部２５の上端面に当接して係止され第１蓋部３０の上方への移動が規制されるとともに直流受電部１２が開放状態となる。
【００５５】
開放状態となった直流受電部１２に、図２０に示すように、直流用給電コネクタ４０を接続すると、充電作業が可能となる。このとき、枠部２０の上側の開口部２２には、図２０に示すように第１蓋部３０が交流受電部１５側に配されて、交流受電部１５の開放を阻止し、この第１蓋部３０は直流用給電コネクタ４０により下方への移動が規制されている。つまり、直流受電部１２の充電作業の際には、交流受電部１５の開放が阻止されているので、交流受電部１５との接触の問題は生じない。
【００５６】
充電作業が終了したら直流用給電コネクタ４０を直流受電部１２から外して、第１蓋部３０を、第１把手部３１が第４凹み部２６Ｂに配される位置まで下方に移動させると第１係止爪３２が第１係止突部２７に係止され第１蓋部３０の移動が規制される。その後、枠部２０の上側の開口部２２に第２蓋部６５をはめ込むと２つの受電部１２，１５は開放が阻止された状態となる（図１７を参照）。
【００５７】
交流受電部１５（第２受電部１５）に充電を行う方法について説明する。まず、交流受電部１５を閉じている第２蓋部６５を、図１８に示すように、枠部２０の上側の開口部２２から取り外すと、交流受電部１５が開放状態となる。
【００５８】
開放状態となった交流受電部１５に、図２１に示すように、交流用給電コネクタ５０を接続すると、充電作業が可能となる。このとき、枠部２０の下側の開口部２５には、図２１に示すように、第１蓋部３０が枠部２０の第１係止突部２７に係止されているとともに、第１蓋部３０は交流用給電コネクタ５０により上方への移動が規制されている。つまり、交流集電体部１５の充電作業の際には、直流受電部１２の開放が阻止されているので、直流受電部１２との接触の問題は生じない。
【００５９】
充電作業が終了したら交流用給電コネクタ５０を交流受電部１５から外して、枠部２０の上側の開口部２２に第２蓋部６５をはめ込むと２つの受電部１２，１５は開放が阻止された状態となる（図１７を参照）。
【００６０】
本実施形態の効果について説明する。
本実施形態によっても参考形態１と同様に、２つの受電部１２，１５に対応する開口部２２，２５を有する枠部２０に、第２蓋部６５と上述の第１蓋部３０とを取り付けた構成とするだけで、充電の際に他の受電部との接触を防止することが可能であるので部品点数を減らすことができる。また、本実施形態においても、第１蓋部３０と第２蓋部６５以外に別の部材を取り付ける必要がないので、省スペースである。
【００６１】
さらに、充電作業の際に充電を行う各受電部１２，１５を閉じている各蓋部３０，３５を移動させるだけで他の受電部との接触を防止することができるので、蓋部３０，３５以外の他の部材を移動させる必要もなく、手間がかからない。以上より本実施形態によっても、省スペースで、部品点数を減らしながらも他の受電部との接触を防止した充電コネクタ６０を提供することができる。
【００６２】
また、本実施形態において、第２蓋部６５は交流受電部１５に対応する開口部２２に着脱可能に取り付けられる一方、第１蓋部３０は交流受電部１５側にスライド移動可能に取り付けられているから、第２蓋部６５を取り外す（移動させる）だけで交流受電部１５の充電作業を行うことができ、第２蓋部６５を取り外して第１蓋部３０をスライド移動させると、直流受電部１２の充電作業を行うことができる。したがって、本実施形態によれば、交流受電部１５の充電作業の作業性に優れ、枠部２０に第１蓋部３０をスライド移動可能な溝部２１を１つ形成すれば済むので、枠部２０の構成を簡易なものとすることができる。
【００６３】
また、本実施形態によれば、第２蓋部６５にはハウジング１１の外側に突出する第３把手部６６が設けられているから、第２蓋部６５を着脱する場合に第２蓋部６５の着脱作業を容易なものとすることができる。
【００６４】
さらに、本実施形態によれば、第１蓋部３０の端部のうち、第１蓋部３０が直流受電部１２の開放を阻止した状態で配されているときに、交流受電部１５側とは反対側に配される端部に、ハウジング１１の外側に突出する第１把手部３１が設けられているから、第１蓋部３０を交流受電部１５側に移動する際の作業性に優れる。
【００６５】
＜他の実施形態＞
本明細書で開示の技術は上記記述及び図面によって説明した実施形態に限定されるものではなく、例えば次のような実施形態であってもよい。
【００６６】
（１）上記実施形態１においては第２蓋部６５を取り外してから第１蓋部３０を移動させる構成を示したが、図２２に示すように、第２蓋部７１が枠部２０に取り付けられた状態で交流受電部１５側に移動可能な第１蓋部３０を備えるものであってもよい。
図２２に示す充電コネクタ７０では、第２蓋部７１を取り外さずに第１蓋部３０を交流受電部１５側に移動させるだけで直流受電部１２（第１受電部１２）の充電作業を行うことができる。
このような構成においては、詳細は図示しないが、第１蓋部３０を交流受電部１５側（第２受電部側）に移動して直流受電部１２（第１受電部）を開放状態とした際に、第１蓋部３０が枠部２０または第２蓋部７１により係止される構成とすると、直流受電部１２の充電の際に、交流受電部１５には第２蓋部７１および第１蓋部３０が配されるとともに、第１蓋部３０が枠部２０または第２蓋部７１により係止されるので、確実に交流受電部１５との接触を防止することができる。なお、図２２に示す充電コネクタ７０は上述した点以外は概ね実施形態１と同様の構成であるので、同様の構成については同じ符号を付した。
（２）上記実施形態では把手部を有する第１蓋部および把手部を有する第２蓋部を備えるものを示したが、２つの蓋部のうち、いずれか一方のみが把手部を有していてもよいし、双方ともが把手部を有してなくてもよい。
（３）上記参考形態１では係止爪を有する第１蓋部および第２蓋部を備えるものを示したが、２つの蓋部のうちいずれか一方のみが係止爪を有していてもよいし、双方ともが係止爪を有していなくてもよい。
（４）上記実施形態では第１受電部が直流受電部、第２受電部が交流受電部の例を示したが、第１受電部が交流受電部で第２受電部が直流受電部であってもよい。
【符号の説明】
【００６７】
１０，６０，７０…充電コネクタ
１１…ハウジング
１１Ａ…開口
１１Ｂ…凹部
１２…直流受電部（第１受電部）
１５…交流受電部（第２受電部）
２０…枠部
２２…上側の開口部（第２受電部に対応する開口部分）
２５…下側の開口部（第１受電部に対応する開口部分）
２７…第１係止突部
２８…第２係止突部
３０…第１蓋部
３１…第１把手部（把手部）
３２…第１係止爪
３５，６５，７１…第２蓋部
３６…第２把手部（把手部）
３７…第２係止爪
４０…直流用給電コネクタ（第１給電コネクタ）
５０…交流用給電コネクタ（第２給電コネクタ）
６６…第３把手部（把手部）
【図１】
0005626084.tif 000002
【図２】
0005626084.tif 000003
【図３】
0005626084.tif 000004
【図４】
0005626084.tif 000005
【図５】
0005626084.tif 000006
【図６】
0005626084.tif 000007
【図７】
0005626084.tif 000008
【図８】
0005626084.tif 000009
【図９】
0005626084.tif 000010
【図１０】
0005626084.tif 000011
【図１１】
0005626084.tif 000012
【図１２】
0005626084.tif 000013
【図１３】
0005626084.tif 000014
【図１４】
0005626084.tif 000015
【図１５】
0005626084.tif 000016
【図１６】
0005626084.tif 000017
【図１７】
0005626084.tif 000018
【図１８】
0005626084.tif 000019
【図１９】
0005626084.tif 000020
【図２０】
0005626084.tif 000021
【図２１】
0005626084.tif 000022
【図２２】
0005626084.tif 000023